(57)【特許請求の範囲】
【請求項１】
布帛を固定するテーブルに設けたカッター走行溝に沿ってテーブル下方で移動可能に設けられ、ヒートカッターと回転刃カッターを備えたカッターベースにより布帛を切断する布帛裁断機において、カッターベースは、カッター後方から前方に延出して、先端で切断直前の布帛を押えるガイドと一体に回動するヒートカッターと、ヒートカッターを回転するヒートカッター回転レバーを設けたヒートカッタープレートと、ヒートカッター回転レバーを係止する係止金具と、ヒートカッター回転レバーを下方に向けて付勢する引張りバネを備え、ヒートカッターをカッターベースの前進時にテーブル上に突出させ、後退時にテーブル下面に退避するように保持可能に設けたことを特徴とする布帛裁断機。
【請求項２】
ヒートカッターと回転刃カッターをテーブル上に交互に突出可能に設けたことを特徴とする請求項１記載の布帛裁断機。
【請求項３】
ヒートカッターと回転刃カッターをリンク機構を介して連結したことを特徴とする請求項２記載の布帛裁断機。
【発明の詳細な説明】
【０００１】
【発明の属する技術分野】
本発明は布帛を直線状に切断する布帛裁断機に関し、とくにボイル地等も切断可能な布帛裁断機に関する。
【０００２】
【従来の技術】
布帛中でも特に薄く透過性の良いボイル生地等は、生地の繊維に沿って裁断縫製する必要があり、これを無視して裁断縫製した場合には、カーテンの形状が平行四辺形になったり、また、生地に干渉縞ができ、商品価値が低下するという問題があった。
【０００３】
そのため、従来より生地の横糸を１本（または２本）抜いて、繊維の方向を確認し、それに沿ってはさみで生地を切断したり、また、生地に切れ目を入れて手で引き裂き、繊維の引き裂かれた所に沿ってはさみで切断する方法等が行われてきた。
しかしこの方法で切断された生地は解れやすく、はさみで切断した所から横糸が次々と抜けるため、はさみの代わりに超音波溶断機やヒートカッター等で生地の切断面を溶断し、ほつれを防止する方法が用いられてきた。
【０００４】
しかし、超音波溶断機は、切断部を固定して生地を移動させるために、直線的に生地を切断することが難しく、また、装置が高価であるという問題があり、また、ヒートカッターを固定して生地を移動させた場合には、同様に直線的に切断するのが難しいのはもちろん、生地の移動を停止した場合には、ヒートカッターに当接している生地がヒーターの熱で溶けたり、焦げたりする問題があった。
【０００５】
このような問題の解決のために、テーブル上に布帛を固定し、ヒートカッター部を布帛の切断位置に沿って移動して、布帛を切断する布帛裁断機が当社より提案され、ボイル生地を直線的に切断し、さらに切断面における解れを防ぐことが可能となった。
【０００６】
【発明が解決しようとする課題】
しかしながら、カーテン縫製業者では、ボイル生地の裁断、縫製の仕事量は作業全体の１割にも満たないのがほとんどであり、そのためボイル生地専用の裁断機が導入されない原因となっている。
一方、カーテン生地の原反ロールには、”たて取り”と呼ばれるロールの巻き方向に丈を取るものと、”横取り”と呼ばれるロールの幅方向に丈を取るものがあり、”たて取り”の原反ロールについては所定の丈長さに、”横取り”の原反ロールについては所定の幅長さに切断する作業が行われる。この作業を行う裁断機として、特開平６−１０６４９５に開示されているように、ロール状に巻取られた原反等の長尺のカーテン生地を自動的かつ連続的に所定の長さに検尺して裁断する検尺裁断機が当社によりすでに提案されている。
【０００７】
しかし、”たて取り”の検尺裁断されたカーテン生地については、カーテンの仕上がり幅に合わせて所定の幅長さに切断する作業が必要となる。
すなわち、検尺裁断されたカーテン生地を大きなテーブル上に広げ、所望の長さを巻き尺で測定して幅長さを決め、はさみで所定の幅長さに切断する作業が必要である。
【０００８】
しかしながら、このような手作業の行程においては、比較的に短い寸法のカーテンの場合には、測定及び裁断は容易であるものの、２メートル以上にも及ぶ長いカーテンの場合には、直線状に切断するのは困難で、さらには、直線状に切断するために裁断用の長いテーブルが必要となり、作業場は大きなスペースが必要となる等大規模となり、そのため作業効率と作業スペースの低減化が求められている。
【０００９】
特に大都市圏のカーテン縫製業者の多くは、大きな作業場を確保できず、比較的狭い作業場にもかかわらず、カーテン生地の裁断から縫製、仕上げ、さらには出荷までの作業を一貫して行うことが必要となっているため、カーテン生地の裁断についても、最小限のスペースで最大限の効率を実現することが強く求められており、多品種のカーテン生地に対応でき、かつ小スペースで裁断が可能なローコストな裁断機の開発が要請されてきた。
【００１０】
【課題を解決するための手段】
本発明は上記の課題を解決するため、テーブル上に布帛を固定し、テーブルに設けたカッター走行溝に沿ってテーブル下方で移動可能に設けられ、カッターを備えたカッターベースにより布帛を切断する布帛裁断機において、カッターベースは、ヒートカッターと回転刃カッターを有し、切断する布帛の種類に応じてカッターを選択して布帛を切断することを特徴とする布帛裁断機である。
【００１１】
本発明は、ヒートカッターと回転刃カッターの２種類の切断装置を設けたカッターベースをテーブルの下方でテーブルに沿って移動可能に設け、ボイル生地を切断するときは、ヒートカッターで溶断し、ボイル生地以外の生地を切断するときには、回転刃カッターにより切断することが可能となっており、一つの装置でボイル地を含む全てのカーテン生地を直線状に切断できるため、作業スペースも従来に比べて小スペース化が可能で、かつ、作業効率も格段向上する布帛裁断機を安価に提供できる。
【００１２】
【発明の実施の形態】
本発明の請求項１に記載の発明は、布帛を固定するテーブルに設けたカッター走行溝に沿ってテーブル下方で移動可能に設けられ、ヒートカッターと回転刃カッターを備えたカッターベースにより布帛を切断する布帛裁断機において、カッターベースは、カッター後方から前方に延出して、先端で切断直前の布帛を押えるガイドと一体に回動するヒートカッターと、ヒートカッターを回転するヒートカッター回転レバーを設けたヒートカッタープレートと、ヒートカッター回転レバーを係止する係止金具と、ヒートカッター回転レバーを下方に向けて付勢する引張りバネを備え、ヒートカッターをカッターベースの前進時にテーブル上に突出させ、後退時にテーブル下面に退避するように保持可能に設けたことを特徴とするものであり、ヒートカッターと回転刃カッターの２種類の切断装置を設けたカッターベースをテーブルの下方でテーブルに沿って移動可能に設け、ボイル生地を切断するときは、ヒートカッターで溶断し、ボイル生地以外の生地を切断するときには、回転刃カッターにより切断することが可能となっており、一つの装置でボイル生地を含む全てのカーテン生地を直線状に切断できるため、作業スペースも従来に比べて小スペース化が可能で、かつ、作業効率も格段向上する布帛裁断機を安価に提供できる。
【００１３】
また、カッターベースの前進時に使用する側のカッターを突出させ、後退時にはテーブル下へ退避させることが可能となり、布帛の切断後直ちに切断した布帛を取り外し、次の布帛を裁断機のテーブルにセットできるため、作業性が向上し、さらに、布帛をテーブル上にセットしたり、取り外したりする際に、カッターがテーブル下に退避しているため、布帛をヒートカッターにより焦がしたりすることなく、やけど等の事故の発生がなく、安全に作業を行うことができる作用を有する。
【００１４】
また、カッター部と一体として可動し切断直前の布帛を押えるガイド部を設けたので、切断時の生地の浮き上がりや、切断後における再付着を防止する作用を有する。
【００１５】
また、カッターベースは、カッター後方から前方に延出して、先端で切断直前の布帛を押えるガイドと一体に回動するヒートカッターと、ヒートカッターを回転するヒートカッター回転レバーを設けたヒートカッタープレートと、ヒートカッター回転レバーを係止する係止金具と、ヒートカッター回転レバーを下方に向けて付勢する引張りバネを備えた構成とすることで、簡便な手段により突出位置と退避位置に変位可能なヒートカッターを提供できる作用を有する。
【００１６】
請求項２に記載の発明は、ヒートカッターと回転刃カッターを交互にテーブル上に突出可能に支持したことを特徴とするものであり、ヒートカッター及び回転刃カッターをカッターベースの前進時に使用する側のカッターを突出させ、後退時にはテーブル下へ退避させることにより、布帛の切断後直ちに切断した布帛を取り外し、次の布帛を裁断機のテーブルにセットできるため、作業性が向上し、さらに、布帛をテーブル上にセットしたり、取り外したりする際に、カッターがテーブル下に退避しているため、布帛をヒートカッターにより焦がしたりすることなく、やけど等の事故の発生がなく、安全に作業を行うことができる作用を有する。
【００１７】
請求項３に記載の発明は、ヒートカッターと回転刃カッターをリンク機構を介して連結したことを特徴とするものであり、簡単な手段によりヒートカッターと回転刃カッターを交互に切断位置に出没できる作用を有する。
請求項７に記載の発明は、ヒートカッターと回転刃カッターを横向きに向かい合わせて近接して装着したことを特徴とするものであり、２つのカッター間の距離を最小にしたことにより、カッターベースの移動ストロークを最小にすることができると共に、固定部や移動部を比較的小さくすることが可能となる作用を有する。
【００１８】
【実施例】
以下、本発明の実施例を説明する。
図１（ａ）、（ｂ）に基づき、本発明の布帛裁断機の概要について説明する。１は裁断機本体で、テーブル３とテーブル３の長手方向に設けられたカッター走行溝１１に沿ってテーブル３の下方で走行するカッターベース２と、テーブル３のカッター走行溝１１に沿って左右両端に設けられた固定部４と移動部５を備えている。
【００１９】
９はヒートカッター運転ボタン、９′は回転刃カッター運転ボタン、１０は布帛、１２は制御部、１３は布受けである。
次に、図２、図５に記載したカッター部及びクランプ部の拡大図に基づき詳細に説明する。カッターベース２は、旋回支点２６を中心に回動自在に取着され、ヒートカッター刃先１９′の後方から刃先１９′の前方に延出し、先端で布帛を押えるガイド１８と、ガイド１８と一体に回動でき、先端にヒートカッター刃先１９′を設けたヒートカッター１９と、フック支点７を中心に回動自在に取着されたヒートカッター回転レバー８とを設けたヒートカッタープレート１４と、ヒートカッタープレート１４に取着されたヒートカッター回転レバー８のフック部を引っかけるためのレバー引っかけ金具２１と、裁断機本体１側面で左右両端に設けられたプーリー２８間に張設されたタイミングベルト２０に固設された固定プレート２３と、カッターベース２後方に固設された回転刃カッター３３を備えている。回転刃カッター３３は、先端に回転刃３３′を備え、回転刃３３′の後方から回転刃３３′の前方に延出して、先端で布帛を押えるガイド１８′を有している。
【００２０】
前記ガイド１８、１８′は薄い板状物から形成され、カッターの後方からカッター前方に延出して、その先端は布帛の切断時に切断直前の布帛を押え、切断時における布帛の浮き上り防止作用と、切断後の溶着防止作用を行うように構成されている。また、板状物に代えて棒状物でも当然使用可能である。
２２はカッターベース２に固設され、ヒートカッタープレート１４の下方への旋回を制限するストッパーである。
【００２１】
プーリー２８は、本体１の一端に設けたモーター２７（図４参照）により駆動され、タイミングベルト２０に固定プレート２３で固設されたカッターベース２をレール３４に沿って移動させる。２５はカッター走行溝１１に設けられたヒートカッター操作用溝部である。（図３参照）
２９はカッターベース２の待機位置において、原点リミットスイッチ２４に当接するカッターベースストライカー、３２はヒートカッター回転レバー８を下方に向けて引張り、ヒートカッター１９のカッター刃先１９′をテーブル３下方に退避させる引張りバネである。
【００２２】
固定部４は布帛１０をテーブル３との間で保持する原点クランプ６を有し、テーブル３の一端で、テーブル３のカッター走行溝１１上に固設され、下面にはカッター走行溝１１に沿ってカッターを跨ぐ凹条溝１７が図４に示すように設けられている。
移動部５はテーブル３の固定部４の反対側に設けられ、移動部５を固定する固定クランプ１５と、移動部５に布帛１０を保持する終点クランプ１６と、カッターベース２の終点リミットスイッチ３１と当接し、リミットスイッチをＯＮする移動ストライカー３０を備えている。
【００２３】
終点クランプ１６の下面には原点クランプ６と同様にカッター走行溝１１に沿ってカッターを跨ぐ凹条溝１７が設けられている。
移動部５の固定位置は、切断する布帛１０の布幅に応じて調節され、固定クランプ１５により固定される。
次に、上記の構成を備えた布帛裁断機の裁断作用について説明する。
【００２４】
最初にヒートカッター１９によるボイル生地の溶断作業について説明する。
まずはじめに、テーブル３のカッター走行溝１１に設けた指が入る程度に広げられたヒートカッター操作用溝部２５（図３参照）から、ヒートカッター回転レバー８を持ち上げて、ヒートカッタープレート１４を旋回支点２６を中心に回転させ、ヒートカッター回転レバー８のフック部８′をレバー引っかけ金具２１に係止して、引っ張りバネ３２でテーブル３下面に保持されているヒートカッター１９の刃先１９′部分をテーブル３上面に突出した状態に固定する。
【００２５】
次に、ヒートカッター１９の電源を入れると、温度調節サーモスタットを内蔵したヒートカッター１９はボイル地を溶断可能な温度に加熱し、ヒートカッター１９のセットを行う。
次に、テーブル３上面に布帛１０を載置し、カッター走行溝１１に沿って切断位置を合わせ、布帛１０の１端を固定部４の原点クランプ６により固定する。
【００２６】
次に、布帛１０の切断位置の位置合わせをしながら、移動部５を移動させ、終点クランプ１６で布帛１０の他端を移動部５に固定し、布帛１０がたるまないように移動部５を左方に移動させて、固定クランプ１５で固定する。
なお、布帛１０の切断部両端の間にエアシリンダー等で駆動される複数個の押さえクランプなどにより切断位置の中間部分の”ずれ”を防ぐことも可能であり、また、マグネット等の他の固定手段を用いることも可能である。
【００２７】
またこのとき、布帛１０の切断ラインを示すレーザー光ライン表示機構を設けることも可能である。
次に、ヒートカッター運転ボタン９を押すと、モーター２７の作動によりプーリー２８が回転し、タイミングベルト２０が前進駆動し、カッターベース２が図の左方に前進移動し、テーブル３上面に固定された布帛１０を下方よりヒートカッター１９により溶断して切断する。
【００２８】
このとき回転刃カッター３３もテーブル３上面に突出しているが、ヒートカッター１９で溶断した後方に位置しているので、布帛１０の溶断面には何ら影響を及ぼさない。
もちろんヒートカッター１９の使用時には、回転刃カッター３３がテーブル３下面に退避する構造にすることも可能であり、ヒートカッター１９及び回転刃カッター３３をテーブル上面への出し入れする動作をソレノイドやエアシリンダー等を用いて自動制御することや、ヒートカッター１９の前進時には回転刃カッター３３をテーブル３下面に退避させるように制御することも可能である。
【００２９】
さらに、ヒートカッター１９による溶断時には、ヒートカッター１９のみがテーブル３上面に突出し、回転刃カッター３３による裁断時には、回転刃カッター３３のみがテーブル３上面に突出させるように構成し、切断作用を行うカッターをカッターベース２の前進時には突出させ、後退時には退避させるように制御することも可能であり、このことにより、カッターベース２の後退時には、テーブル３上面にカッターが突出しない切断装置を提供することが可能となるため、カッターベース２が原点復帰するのを待たなくとも、すでに裁断された布帛１０を取り除く作業を行うことが可能となる。
【００３０】
また、図６に例示したように、リンク機構などにより、ヒートカッター１９と回転刃カッター３３をリンク機構を介して連係し、ヒートカッター１９の突出時には回転刃カッター３３を退避させ、回転刃カッター３３の突出時にはヒートカッター１９を退避させるように構成することにより、１つの駆動源でヒートカッター１９と回転刃カッター３３をテーブル３上面へ出没するようにすることも可能である。
【００３１】
布帛１０の切断時には、ガイド１８の先端は切断される布帛１０の上方からヒートカッター１９による切断直前の布帛１０を押さえ、切断時における布帛の浮き上がりを防止するので、布帛１０の切断を正確に行うことができ、かつ、切断後における切断部の再付着を防止する作用を行う。
カッター部の移動速度は一般的には１５ｍ／ｍｉｎであるが、必要によりインバーターを用いスロースタート、スローストップ等のスピード制御が採用される。
【００３２】
また、布帛１０の種類によって、移動速度は適宜変更可能である。
次に、カッターベース２が終点位置に到達すると、カッターベース２の終点リミットスイッチ３１が移動部５に取着した移動ストライカー３０に当接し、終点リミットスイッチ３１をＯＮし、モーターは停止する。
次に、原点クランプ６、終点クランプ１６を解除して、切断を終えた布帛を取り除き、原点復帰ボタンを兼ねた運転ボタン９または９′を押すと、モーター２７は逆方向に回転を開始してプーリー２８を逆回転させ、タイミングベルト２０が後退駆動すると、カッターベース２は固定部４側に移動し、カッターベース２のカッターベースストライカー２９が原点リミットスイッチ２４に当接すると、原点リミットスイッチ２４がＯＮし、カッターベース２は原点位置で停止し、次の布帛裁断の待機状態となる。
【００３３】
この復帰行程においては、カッターベース２が終点位置に到達して終点リミットスイッチ３１がＯＮするとすぐに、自動的にカッターベース２を後退させて原点復帰させることも可能である。
また、万一溶断途中に原点復帰ボタン（兼運転ボタン）９または９′を押すことにより、溶断を中断する場合には、カッターベース２の移動を停止させるとヒートカッター１９の停止位置の布帛１０を溶かしてしまうため、原点復帰ボタン（兼運転ボタン）９または９′を押すとすぐに、自動的にカッターベース２を後退させて原点復帰させるように制御する必要がある。
【００３４】
次に、回転刃カッター３３による布帛１０の切断作業について説明する。
最初にヒートカッター１９の電源スイッチをＯＦＦにし、ヒートカッター連結用溝部２５からヒートカッター回転レバー８のフック部８′をレバー引っかけ金具２１から解放し、ヒートカッター１９の刃先１９′部分を、引っ張りバネ３２でテーブル３下面に保持させ、テーブル３上面に回転刃カッター３３のみが突出するようにする。
【００３５】
次に、ヒートカッター１９による布帛１０の溶断時の布帛１０セットと同様に、布帛１０をテーブル３上面にセットする。
また、ボイル地やレース地以外の布帛１０で、布帛１０上面からカッター溝を透視できない厚手の布帛をセットする場合には、レーザー光ライン表示機構はより有効なものとなる。
【００３６】
次に、回転刃カッター運転ボタン９′を押すと、回転刃３３′が回転を始め、ヒートカッター１９による布帛の溶断時と同様に、カッターベース２が移動して回転刃３３′により布帛を下方より切断する。
布帛１０の裁断時には、ヒートカッターによる溶断時と同様に、ガイド１８′の先端は、切断される布帛１０の上方から回転刃３３′による切断直前の布帛１０を押さえ、切断時における布帛１０の浮き上がりを防止するので、布帛１０を正確に切断することができる。
【００３７】
また、ヒートカッター１９による布帛１０の溶断時と同様に、カッターベース２の移動速度は一般的には１５ｍ／ｍｉｎであるが、必要によりインバーターを用いスロースタート、スローストップ等のスピード制御が採用される。
また、布帛１０の種類によって、移動速度は適宜変更可能である。
また、カッターベース２が終点位置に到達すると、カッターベース２の終点リミットスイッチ３１が移動部５に取着した移動ストライカー３０に当接し、終点リミットスイッチ３１をＯＮし、モーター２７は停止する。
【００３８】
次に、カッターベース２は原点位置に復帰するが、このとき、ヒートカッター１９による溶断時と同様に、カッターベース２が終点位置に到達して終点リミットスイッチ３１がＯＮすると同時に、自動的にカッターベース２を後退させて原点復帰させることも可能である。
また、万一裁断途中に原点復帰ボタン（兼運転ボタン）９または９′を押すことにより裁断を中断する場合には、ヒートカッター１９による溶断時のように布帛を溶かしてしまうことがないので、カッターベース２をその位置で停止（待機）させ、もう一度運転ボタン（兼原点復帰ボタン）９または９′を押すことにより、裁断を続行させるようにすることも可能であるし、原点復帰させるようにすることも可能である。
【００３９】
もちろん、ヒートカッター１９による溶断時と同様に、原点復帰ボタン（兼運転ボタン）９または９′を押すと同時に、原点復帰させるようにすることも可能である。
また、本実施例は１つのカッター走行溝１１により構成されているが、テーブル３上面にヒートカッター１９と回転刃カッター３３それぞれに別の２本のカッター走行溝１１を設けて、使用するカッターのみをテーブル３上面に突出するように構成することも可能である。
【００４０】
また、カッターベース２の前進時にはテーブル３上面に突出し、後退時にはテーブル下に退避するようにすることも可能である。
【００４１】
【発明の効果】
本発明は、テーブル上面に布帛を固定し、カッターベースが移動して布帛を切断する布帛裁断機において、ヒートカッターと回転刃カッターの２種類の切断装置を有するカッターベースを、テーブル下方でテーブルに沿って移動可能に設け、切断する布帛の種類によってカッターを切り替えることを特徴とする布帛裁断機であり、ボイル地等を切断する時には、ヒートカッターで溶断を行い、ボイル地以外の布帛を切断する時には、回転刃カッターで切断をすることが可能となり、１台の裁断機によりカーテン縫製に使用するほぼ全ての種類の布帛の切断を行うことを可能としている。
【００４２】
また、カッター部と一体として可動するガイド部を設けたので、切断時の生地の浮き上がりや、切断後における再付着を防止することが可能となる。
また、２つのカッター間の距離を最小にしたことにより、カッターベースの移動ストロークを最小にすることができると共に、固定部や移動部を比較的小さくすることが可能となる。
【００４３】
また、ヒートカッター及び回転刃カッターをカッターベースの前進時に使用する側のカッターを突出させ、後退時にはテーブル下へ退避させることにより、布帛の切断後直ちに切断した布帛を取り外し、次の布帛を裁断機のテーブルにセットでき、作業性が向上する。さらに、布帛をテーブル上にセットしたり、取り外したりする際に、カッターがテーブル下に退避しているため、布帛をヒートカッターにより焦がしたりすることなく、やけど等の事故の発生がなく、安全に作業を行うことができる効果を有する。
【図面の簡単な説明】
【図１】（ａ）は本発明の布帛裁断機の概要を示す正面図、（ｂ）はその側面図である。
【図２】本発明の布帛裁断機のカッター部及びクランプ部を示す部分拡大正面図である。
【図３】図２の平面図である。
【図４】（ａ）は固定部、（ｂ）はクランプの断面図である。
【図５】（ａ）はヒートカット使用時のカッターベース正面図、（ｂ）は回転刃カッター使用時のカッターベース正面図である。
【図６】リンク機構を用いたときのカッターベース正面図である。
【符号の説明】
１  裁断機
２  カッターベース
３  テーブル
４  固定部
５  移動部
６  原点クランプ
７  フック支点
８  ヒートカッター回転レバー
９  運転ボタン
１０  布帛
１１  カッター走行溝
１２  制御部
１３  布受け
１４  ヒートカッタープレート
１５  固定クランプ
１６  終点クランプ
１７  凹条溝
１８  ガイド
１８′  ガイド
１９  ヒートカッター
２０  タイミングベルト
２１  レバー引っかけ金具
２２  ストッパー
２３  固定プレート
２４  原点リミットスイッチ
２５  ヒートカッター操作用溝部
２６  旋回支点
２７  モーター
２８  プーリー
２９  カッターベースストライカー
３０  移動ストライカー
３１  終点リミットスイッチ
３２  引っ張りバネ
３３  回転刃カッター
３４  レール
３５  リンク支点
３６  リンク機構
【図１】
0004321728.tif 000002
【図２】
0004321728.tif 000003
【図３】
0004321728.tif 000004
【図４】
0004321728.tif 000005
【図５】
0004321728.tif 000006
【図６】
0004321728.tif 000007